(57)【要約】【課題】把持しやすく、且つ、操作時にトリガー部を引きやすいトリガー式スプレイヤーを提供する。【解決手段】本発明は、シリンダーポンプ１１及び該シリンダーポンプ１１に連通するノズル部５が内設された本体部１０と、該本体部１０の後端の後端部１０ａに枢着されたトリガー部２０と、を備え、本体部１０の後端部１０ａの下方に設けられた指当て部１ａに指を配置し、トリガー部２０に設けられた指入れ部１ｂに指を配置して、トリガー部２０を回動させることにより、該回動に連動して、シリンダーポンプ１１内の液体をノズル部５から噴射するトリガー式スプレイヤー１００であって、トリガー部２０の操作時に、指当て部１ａに指が当接される指当て作用部Ａが、指入れ部１ｂに指が当接される指入れ作用部Ｂよりも下方になるように、指当て部１ａ及び指入れ部１ｂが設けられているトリガー式スプレイヤー１００である。【選択図】図１
2013078704.tif 000002
【特許請求の範囲】
【請求項１】
シリンダーポンプ及び該シリンダーポンプに連通するノズル部が内設された本体部と、該本体部の後端の後端部に枢着されたトリガー部と、を備え、
前記後端部の下方に設けられた指当て部に指を配置し、前記トリガー部に設けられた指入れ部に指を配置して、前記トリガー部を回動させることにより、該回動に連動して、前記シリンダーポンプ内の液体を前記ノズル部から噴射するトリガー式スプレイヤーであって、
前記トリガー部の操作時に、前記指当て部に指が当接される指当て作用部が、前記指入れ部に指が当接される指入れ作用部よりも下方になるように、前記指当て部及び前記指入れ部が設けられているトリガー式スプレイヤー。
【請求項２】
前記指入れ部がリング状となっている請求項１記載のトリガー式スプレイヤー。
【請求項３】
前記指当て作用部が、湾曲している請求項１又は２に記載のトリガー式スプレイヤー。
【請求項４】
前記シリンダーポンプが、シリンダ部と、該シリンダ部内を摺動可能なピストン部と、からなり、
該ピストン部の摺動に基づいて、前記シリンダ部内の液体が加圧され、蓄圧された液体が前記ノズル部から噴射される請求項１〜３のいずれか１項に記載のトリガー式スプレイヤー。
【請求項５】
ピストン部に連続し屈曲可能な液体流通部と、
該液体流通部の先端に設けられたスピンナー部と、
該液体流通部に設けられ前記トリガー部に枢着される支持棒部と、
を更に備え、
前記スピンナー部が前記ノズル部のノズル口部に嵌合されている請求項４記載のトリガー式スプレイヤー。
【請求項６】
前記シリンダ部の下端部に収容され前記シリンダ部内への前記液体の流路を開閉するＦバルブと、
前記ピストン部に収容され前記シリンダ部内の前記液体の流路を開閉するＳバルブと、
を更に備える請求項４又は５に記載のトリガー式スプレイヤー。
【請求項７】
前記本体部と、前記トリガー部と、前記シリンダ部とが一体となっている請求項４記載のトリガー式スプレイヤー。
【請求項８】
前記ピストン部と、前記スピンナー部と、前記支持棒部とが一体となっている請求項５記載のトリガー式スプレイヤー。
【発明の詳細な説明】
【技術分野】
【０００１】
本発明は、トリガー式スプレイヤーに関し、より詳しくは、把持しやすく、且つ、操作時にトリガー部を引きやすいトリガー式スプレイヤーに関する。
【背景技術】
【０００２】
容器に収容された液体を所望の位置に吹き付ける装置として従来からトリガー式スプレイヤーが知られている。
かかるトリガー式スプレイヤーは、トリガーを回動することによって、内蔵されたポンプ内を加圧、減圧させ、その圧力変化を利用して液体を噴射させる装置であり、近年、蓄圧式のものも含めて多くのタイプが開発されている。
【０００３】
例えば、先端にノズルを嵌合した射出筒に、吐出弁体、吐出弁座、吸込み弁等を配設した蓄圧式のトリガー式スプレイヤーが知られている（例えば、特許文献１参照）。
また、ピストンバルブと該ピストンバルブをピストン弁座に押圧するバネ体と、これらを収納するピストンカバーを備えることで、蓄圧機能を有する領域の容積が小さくできる等のメリットがある蓄圧式のディスペンサーが開発されている（例えば、特許文献２参照）。
【先行技術文献】
【特許文献】
【０００４】
【特許文献１】特開２００９−６２８８号公報
【特許文献２】特開２００９−１６０５７３号公報
【発明の概要】
【発明が解決しようとする課題】
【０００５】
しかしながら、上記特許文献１又は２に記載のトリガー式スプレイヤーを含む従来のトリガー式スプレイヤーは、トリガーに指を当接させる位置が決まっておらず、操作時にトリガーを引きにくいという欠点がある。
【０００６】
本発明は上記事情に鑑みてなされたものであり、把持しやすく、且つ、操作時にトリガー部を引きやすいトリガー式スプレイヤーを提供することを目的とする。
【課題を解決するための手段】
【０００７】
本発明者は、上記課題を解決するため鋭意検討したところ、トリガー部の操作時に、本体部に設けた指当て部に指が当接される指当て作用部が、トリガー部に設けた指入れ部に指が当接される指入れ作用部よりも下方になるように、指当て部及び指入れ部を設けることにより、上記課題を解決し得ることを見出し、本発明を完成するに至った。
【０００８】
本発明は、（１）シリンダーポンプ及び該シリンダーポンプに連通するノズル部が内設された本体部と、該本体部の後端の後端部に枢着されたトリガー部と、を備え、本体部の後端部の下方に設けられた指当て部に指を配置し、トリガー部に設けられた指入れ部に指を配置して、トリガー部を回動させることにより、該回動に連動して、シリンダーポンプ内の液体をノズル部から噴射するトリガー式スプレイヤーであって、トリガー部の操作時に、指当て部に指が当接される指当て作用部が、指入れ部に指が当接される指入れ作用部よりも下方になるように、指当て部及び指入れ部が設けられているトリガー式スプレイヤーに存する。
【０００９】
本発明は、（２）指入れ部がリング状となっている上記（１）記載のトリガー式スプレイヤーに存する。
【００１０】
本発明は、（３）指当て作用部が、湾曲している上記（１）又は（２）に記載のトリガー式スプレイヤーに存する。
【００１１】
本発明は、（４）シリンダーポンプが、シリンダ部と、該シリンダ部内を摺動可能なピストン部と、からなり、該ピストン部の摺動に基づいて、シリンダ部内の液体が加圧され、蓄圧された液体がノズル部から噴射される上記（１）〜（３）のいずれか１つに記載のトリガー式スプレイヤーに存する。
【００１２】
本発明は、（５）ピストン部に連続し屈曲可能な液体流通部と、該液体流通部の先端に設けられたスピンナー部と、該液体流通部に設けられトリガー部に枢着される支持棒部と、を更に備え、スピンナー部がノズル部のノズル口部に嵌合されている上記（４）記載のトリガー式スプレイヤーに存する。
【００１３】
本発明は、（６）シリンダ部の下端部に収容されシリンダ部内への液体の流路を開閉するＦバルブと、ピストン部に収容されシリンダ部内の液体の流路を開閉するＳバルブと、を更に備える上記（４）又は（５）に記載のトリガー式スプレイヤーに存する。
【００１４】
本発明は、（７）本体部と、トリガー部と、シリンダ部とが一体となっている上記（４）記載のトリガー式スプレイヤーに存する。
【００１５】
本発明は、（８）ピストン部と、スピンナー部と、支持棒部とが一体となっている上記（５）記載のトリガー式スプレイヤーに存する。
【発明の効果】
【００１６】
本発明のトリガー式スプレイヤーにおいては、トリガー部の操作時に、指当て作用部が、指入れ作用部よりも下方になるように、指当て部及び指入れ部が配置されているので、トリガー式スプレイヤーを把持しやすくなる。
【００１７】
上記トリガー式スプレイヤーにおいては、トリガー部が、本体部の後端部に枢着されているので、後端部を中心として円状に回動することになる。このため、指当て作用部が下方に位置する上記トリガー式スプレイヤーは、指入れ作用部（トリガー部）を引くための力を小さくすることができ、操作時にトリガー部を引きやすくなる。
【００１８】
したがって、上記トリガー式スプレイヤーは、把持しやすく、且つ、操作時にトリガー部を引きやすいという利点がある。
【００１９】
本発明のトリガー式スプレイヤーにおいては、指入れ部がリング状となっている場合、一本指でも操作が可能であるという視覚的効果が得られる。
また、指当て作用部が、湾曲している場合、指を指当て作用部に当接しやすく、ずれにくくなる。
【００２０】
本発明のトリガー式スプレイヤーにおいては、ピストン部の摺動に基づいて、シリンダ部内の液体が加圧され、蓄圧された液体がノズル部から噴射されるものである場合、蓄圧式のスプレイヤーとして用いることができ、簡単な構造でありながら、確実に一定量の液体を噴射することが可能となる。
【００２１】
本発明のトリガー式スプレイヤーにおいては、スピンナー部がノズル口部に嵌合された構成となっている場合、組み付けが容易であり、スピンナー部の位置決めも容易に行うことができる。
【００２２】
本発明のトリガー式スプレイヤーにおいては、本体部と、トリガー部と、シリンダ部とが一体となっている場合、及び／又は、ピストン部、スピンナー部及び支持棒部が一体となっている場合、部品点数を減らすことができ、全体の組み付けが容易となる。
また、組み付け時においては、シリンダ部にピストン部を圧入するだけで、容易に各部の位置決めを行うことができる。
【図面の簡単な説明】
【００２３】
【図１】図１は、本発明に係るトリガー式スプレイヤーの一実施形態を示す側面図である。
【図２ａ】図２ａは、本実施形態に係るトリガー式スプレイヤーを容器に取り付け、使用者がこれを把持した状態の一例を示す側面図である。
【図２ｂ】図２ｂは、本実施形態に係るトリガー式スプレイヤーを容器に取り付け、使用者がこれを把持した状態の他の例を示す側面図である。
【図３】図３は、本実施形態に係るトリガー式スプレイヤーの内部構造を示す断面図である。
【図４】図４は、本実施形態に係るトリガー式スプレイヤーの背面図である。
【図５】図５の（ａ）は、本実施形態に係るトリガー式スプレイヤーの第１部材を示す斜視図であり、図５の（ｂ）は、図５の（ａ）の断面図である。
【図６】図６の（ａ）は、本実施形態に係るトリガー式スプレイヤーの第２部材を示す斜視図であり、図６の（ｂ）は、図６の（ａ）の断面図である。
【図７】図７の（ａ）は、本実施形態に係るトリガー式スプレイヤーのＳバルブを示す斜視図であり、図７の（ｂ）は、図７の（ａ）の断面図である。
【図８】図８の（ａ）は、本実施形態に係るトリガー式スプレイヤーのトリガー部を引く前の状態を示す断面図であり、図８の（ｂ）は、図８の（ａ）の状態からトリガー部を引いた後の状態を示す断面図である。
【図９】図９の（ａ）〜図９の（ｃ）は、他の実施形態に係るトリガー式スプレイヤーにおける指当て部を示す側面図である。
【図１０】図１０の（ａ）〜図１０の（ｃ）は、他の実施形態に係るトリガー式スプレイヤーにおける指入れ部を示す側面図である。
【発明を実施するための形態】
【００２４】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２５】
本発明に係るトリガー式スプレイヤーは、容器に着脱可能となっている。すなわち、容器に収容された液体が、トリガー式スプレイヤーから噴射されるようになっている。
【００２６】
図１は、本発明に係るトリガー式スプレイヤーの一実施形態を示す側面図である。
図１に示すように、本実施形態に係るトリガー式スプレイヤー１００は、本体部１０と、該本体部１０の後端の後端部１０ａに枢着されたトリガー部２０と、を備える。なお、トリガー部２０は、後述するように開閉可能となっており、トリガー式スプレイヤー１００の組立て時には開かれ、トリガー式スプレイヤー１００の使用時には閉じられる。
【００２７】
トリガー式スプレイヤー１００において、本体部１０の後端部１０ａの下方には、板状の指当て部１ａが設けられており、トリガー部２０には、リング状の指入れ部１ｂが設けられている。
また、トリガー部の操作時に、指当て部１ａに指が当接される指当て作用部Ａが、指入れ部１ｂに指が当接される指入れ作用部Ｂ（例えば図に示すように指入部の略中間位置）よりも高さＨの分だけ下方になるように、指当て部１ａ及び指入れ部１ｂが設けられている。
【００２８】
トリガー式スプレイヤー１００においては、トリガー部２０が、本体部１０の後端部１０ａに枢着されているので、後端部１０ａを中心として図１でいう反時計回りに回動することになる。
一方、トリガー部の操作時は、指当て作用部Ａを支点として、指入れ作用部Ｂに力が加えられる。
このとき、指当て作用部Ａが指入れ作用部Ｂよりも下方に設けられているので、トリガー部２０の回動に対する分力が大きくなる。
また、トリガー部２０の軌道に比較的近い状態で、指入れ作用部Ｂ（トリガー部２０）を引くことができるので、トリガー部２０を引きやすくなる。
【００２９】
図２ａは、本実施形態に係るトリガー式スプレイヤーを容器に取り付け、使用者がこれを把持した状態の一例を示す側面図である。
図２ａに示すように、トリガー式スプレイヤー１００においては、人差し指を指当て部１ａの指当て作用部Ａに当接させ、親指を指入れ部１ｂの指入れ作用部Ｂに当接させて、親指で指入れ作用部Ｂを引くことにより、トリガー部２０が図でいう反時計回りに回動し、該回動に連動して、シリンダーポンプ内の液体がノズル部から噴射されるようになっている。
この場合、容器Ｘ内の液体を自分に吹き付けることができる。
【００３０】
このとき、指当て部１ａ及び指入れ部１ｂは、トリガー部２０の操作時に、人差し指が当接される指当て作用部Ａが、親指が当接される指入れ作用部Ｂよりも下方になるように、配置されている。これにより、液体を自分に吹き付ける場合、人差し指を指当て作用部Ａに当接した状態では、人差し指よりも上に位置する親指を指入れ作用部Ｂに当接しやすく、且つ、指入れ部１ｂ（トリガー部２０）を引きやすい。
【００３１】
図２ｂは、本実施形態に係るトリガー式スプレイヤーを容器に取り付け、使用者がこれを把持した状態の他の例を示す側面図である。
図２ｂに示すように、トリガー式スプレイヤー１００においては、親指と人差し指の間（以下「合谷部」という。）を指当て部１ａの指当て作用部Ａに当接させ、人差し指を指入れ部１ｂの指入れ作用部Ｂに当接させて、人差し指で指入れ作用部Ｂを引くことにより、トリガー部２０が図でいう反時計回りに回動し、該回動に連動して、シリンダーポンプ内の液体がノズル部から噴射されるようになっている。
この場合、容器Ｘ内の液体を外部に吹き付けることができる。
【００３２】
このとき、指当て部１ａ及び指入れ部１ｂは、トリガー部２０の操作時に、合谷部が当接させる指当て作用部Ａが、人差し指が当接される指入れ作用部Ｂよりも下方になるように、配置されている。これにより、液体を外部に吹き付ける場合、合谷部を指当て作用部Ａに当接した状態では、合谷部よりも上に位置する人差し指を指入れ作用部Ｂに当接しやすく、且つ、指入れ部１ｂ（トリガー部２０）を引きやすい。
【００３３】
図３は、本実施形態に係るトリガー式スプレイヤーの内部構造を示す断面図である。
図３に示すように、トリガー式スプレイヤー１００は、本体部１０に、シリンダーポンプ１１及び該シリンダーポンプ１１に連通するノズル部５が内設されている。
また、本体部１０には、シリンダーポンプ１１の外側にキャップ部２が設けられており、該キャップ部２は、容器Ｘの口部に着脱可能となっている。すなわち、トリガー式スプレイヤー１００は、キャップ部２を介して、市販の容器に対して着脱可能となっている。
さらに、キャップ部２及び後述するシリンダ部１２は、本体部１０の外壁部１０ｂに覆われている。
さらにまた、本体部１０には、バネ部６が設けられており、トリガー部２０に当接されるようになっている。なお、かかるバネ部６の復元力により、引かれたトリガー部２０は、元の位置に復元するようになっている。
【００３４】
本体部１０は、後端部１０ａの下側に指当て部１ａが設けられている。
図４は、本実施形態に係るトリガー式スプレイヤーの背面図である。
図４に示すように、指当て部１ａは、後端部１０ａの下方に設けられ、本体部１０に対して幅細の板状となっている。このため、指当て部１ａ及び指入れ部１ｂにそれぞれ指を当接した場合、より把持しやすくなる。
また、トリガー式スプレイヤー１００を軽量化することができる。
【００３５】
図３に戻り、ここで、指当て部１ａにおいて、指当て作用部Ａは、上側にＲ状に湾曲している。このため、指を指当て作用部Ａに当接する際、位置決めがしやすく、また、ずれにくくなる。
【００３６】
シリンダーポンプ１１は、シリンダ部１２と、該シリンダ部１２内を摺動可能なピストン部１３と、からなる。
したがって、トリガー式スプレイヤー１００は、ピストン部１３の摺動に基づいて、シリンダ部１２内の液体が加圧され、蓄圧された液体がスピンナー部１４からノズル部５のノズル口部１５を介して噴射されるようになっている。すなわち、トリガー式スプレイヤー１００は、蓄圧式のスプレイヤーであり、簡単な構造でありながら、確実に一定量の液体を噴射することが可能となっている。
【００３７】
シリンダ部１２は、円筒状であり、内部にピストン部１３が圧入されている。
ピストン部１３は、内部に液体が流通する流路が設けられており、該流路が通じるように、屈曲可能な液体流通部１３ａがピストン部１３の上端に連続して設けられている。
そして、液体流通部１３ａの先端にはスピンナー部１４が設けられている。
【００３８】
トリガー式スプレイヤー１００において、液体流通部１３ａにはトリガー部２０に枢着される支持棒部１６が設けられている。これにより、トリガー部２０の回動に連動して、支持棒部１６を介してピストン部１３が昇降移動するようになっている。
【００３９】
シリンダ部１２の下端部１２ａには導入部９が連結されている。
トリガー式スプレイヤー１００において、導入部９は容器Ｘ内に挿入されており、先端が容器Ｘ内の液体中に浸漬される。そして、容器Ｘ内の液体はこの導入部９を介して吸い上げられシリンダ部１２内に流入されることになる。なお、導入部９の先端には、チューブ等が取り付けられていてもよい。この場合、チューブの先端が容器内の液体中に浸漬され、該チューブから容器内の液体が導入されることになる。
【００４０】
ノズル部５は、スピンナー部１４と該スピンナー部が嵌合されるノズル口部１５とからなる。トリガー式スプレイヤー１００においては、スピンナー部１４がノズル口部１５に嵌合される構成となっているので、トリガー式スプレイヤー１００の組み付けが容易となり、スピンナー部１４の位置決めも容易に行うことが可能となる。
【００４１】
トリガー部２０は、蓋部４ａと、該蓋部４ａから屈曲して連結された指入れ部１ｂとからなる略Ｌ字状である。
トリガー部２０において、蓋部４ａには、支持棒部１６を枢着する枢着部１６ａが設けられている。
また、指入れ部１ｂは、リング状となっている。このため、一本指でも操作が可能であるという視覚的効果が得られる。
【００４２】
トリガー式スプレイヤー１００において、トリガー部２０には、嵌合穴部２１ａが設けられており、トリガー部２０を閉じることにより、ノズル口部１５が嵌合穴部２１ａに配置されるようになっている。これにより、トリガー部２０がノズル口部１５からの液体の吐出を妨げない。
また、トリガー部２０には、ストッパー２１が取り付けられている。かかるストッパー２１は、嵌合穴部２１ａに嵌合可能となっており、図３に示すように、ストッパー２１を嵌合穴部２１ａに嵌合することにより、ノズル口部１５を封じることができる。また、ストッパー２１を嵌合穴部２１ａに嵌合することにより、トリガー部２０の回動をロックすることができるので、例えば、不使用時に液体が漏れることを抑制することができる。
【００４３】
トリガー式スプレイヤー１００において、シリンダ部１２の下端部１２ａの内側にはシリンダ部１２内への液体の流路を開閉するＦバルブ７ａが収容されている。これにより、容器Ｘ内の液体がシリンダ部１２内へ導入される場合には、Ｆバルブ７ａが流路を開き、液体が吐出される場合には、Ｆバルブ７ａが流路を閉じるようになっている。
また、ピストン部１３には、シリンダ部１２内の液体の流路を開閉するＳバルブ７ｂが収容されている。かかるＳバルブ７ｂの詳細については、後述する。
【００４４】
トリガー式スプレイヤー１００においては、本体部１０と、トリガー部２０と、シリンダ部１２とが一体となった第１部材５０を備える。
【００４５】
図５の（ａ）は、本実施形態に係るトリガー式スプレイヤーの第１部材を示す斜視図であり、図５の（ｂ）は、図５の（ａ）の断面図である。
図５の（ａ）及び図５の（ｂ）に示すように、第１部材５０は、上述したキャップ部２とバネ部６とを備える本体部１０が、キャップ部２の内側でシリンダ部１２とも一体となっている。
【００４６】
これに加え、第１部材５０においては、本体部１０の後端の後端部１０ａにトリガー部２０の蓋部４ａが枢着されており、トリガー部２０が開閉可能となっている。すなわち、トリガー部２０を閉じることにより、本体部１０が蓋をされるようになっている。なお、トリガー部２０を閉じることにより、バネ部６は、屈曲された状態でトリガー部２０の蓋部４ａに当接されることになる。
【００４７】
また、本体部１０の前端には上述したスピンナー部１４が嵌合されるノズル口部１５が設けられている。なお、ノズル口部１５には、スピンナー部１４から吐出される液体を例えば泡状にするフラップが設けられていてもよい。なお、第１部材５０においては、シリンダ部１２の下端部１２ａの内側にＦバルブ７ａが取り付けられる。
【００４８】
トリガー式スプレイヤー１００においては、ピストン部１３と、スピンナー部１４と、支持棒部１６とが一体となった第２部材６０を備える。
【００４９】
図６の（ａ）は、本実施形態に係るトリガー式スプレイヤーの第２部材を示す斜視図であり、図６の（ｂ）は、図６の（ａ）の断面図である。
図６の（ａ）及び図６の（ｂ）に示すように、第２部材６０は、ピストン部１３に連通するように液体流通部１３ａが取り付けられており、液体流通部１３ａの先端にスピンナー部１４が設けられ、中腹に支持棒部１６が設けられている。
【００５０】
第２部材６０において、ピストン部１３は、第１部材のシリンダ部１２に圧入され、スピンナー部１４は、液体流通部１３ａを屈曲して第１部材５０のノズル口部１５に嵌合され、支持棒部１６は、第１部材５０の枢着部１６ａに枢着される。
【００５１】
図７の（ａ）は、本実施形態に係るトリガー式スプレイヤーのＳバルブを示す斜視図であり、図７の（ｂ）は、図７の（ａ）の断面図である。
図７の（ａ）及び図７の（ｂ）に示すように、Ｓバルブ７ｂは、弁１７ａと、該弁１７ａを上方に付勢するバルブ用バネ部１７ｂと、ピストン部１３にバルブ用バネ部１７ｂを固定する基部１７ｃと、からなる。
【００５２】
トリガー式スプレイヤー１００においては、弁１７ａ、バルブ用バネ部１７ｂ及び基部１７ｃが一体となったＳバルブ７ｂを備える。
【００５３】
Ｓバルブ７ｂは、ピストン部１３の内部に配置される（図３参照）。このとき、基部１７ｃは、ピストン部１３の下端部に固定されるようになっており、弁１７ａは、ピストン部１３内の弁座に当接されるようになっている。
そして、バルブ用バネ部１７ｂは、伸縮可能となっており、弁１７ａは、バルブ用バネ部１７ｂによる一定のバネ力により、弁座に付勢されるようになっている。
【００５４】
Ｓバルブ７ｂは、ピストン部１３内の液体の流路を塞ぐ弁の働きをする。すなわち、弁１７ａがバルブ用バネ部１７ｂによって上方に付勢されているので、シリンダ部１２内の液体が一定の圧力まで加圧されると、ピストン部１３が下降すると共に、Ｓバルブ７ｂとシリンダ部１２との間が開き、シリンダ部１２内の液体が一定の圧力より減圧されると、ピストン部１３が上昇すると共に、Ｓバルブ７ｂとシリンダ部１２との間が閉じるようになっている。これにより、トリガー式スプレイヤー１００においては、Ｓバルブ７ｂによって液体の流通が確実に遮断されるので、液垂れを防止することができる。なお、Ｓバルブ７ｂは、図７の（ｂ）に示すように、内部が中空となっているので、Ｓバルブ７ｂの軽量化が図られ、バルブ用バネ部１７ｂへの負担も小さい。
【００５５】
本実施形態に係るトリガー式スプレイヤー１００においては、本体部１０と、トリガー部２０と、シリンダ部１２とが一体となった第１部材５０を備える場合、及び／又は、ピストン部１３、スピンナー部１４及び支持棒部１６が一体となった第２部材６０を備える場合、及び／又は、Ｓバルブを備える場合、部品点数を減らすことができ、全体の組み付けが容易となる。
【００５６】
第１部材５０、第２部材６０及びＳバルブ７ｂの材質は、いずれも合成樹脂であり、主として射出成形により製造される。
また、Ｆバルブ７ａの材質は、金属性である。
なお、材質はこれらに限定されない。
【００５７】
次に、本実施形態に係るトリガー式スプレイヤー１００の操作について説明する。
図８の（ａ）は、本実施形態に係るトリガー式スプレイヤーのトリガー部を引く前の状態を示す断面図であり、図８の（ｂ）は、図８の（ａ）の状態からトリガー部を引いた後の状態を示す断面図である。
【００５８】
本実施形態に係るトリガー式スプレイヤー１００においては、図８の（ａ）に示すトリガー部２０の指入れ部１ｂの指入れ作用部Ｂに指を配置して、手前に引くことにより、図８の（ｂ）に示すように、トリガー部２０が下方に移動する。
このとき、支持棒部１６がトリガー部２０の枢着部１６ａに枢着されているので、支持棒部１６が下方に移動し、これと共にピストン部１３が下降する。
ピストン部１３が下降すると、シリンダ部１２内の液体が加圧される。そして、液体に一定の圧力まで蓄圧されると、Ｓバルブ７ｂが開き、該液体がシリンダ部１２から液体流通部１３ａの内部を流通してスピンナー部１４からノズル口部１５を介して外部に噴射される。
液体が噴射されると、シリンダ部１２内の液体が徐々に減圧され、その後、液体の噴射が停止する。
【００５９】
液体の噴射後、トリガー部２０を手前に引いた状態から開放すると、トリガー部２０に屈曲された状態で当接されたバネ部６の復帰力によって、トリガー部２０が元の位置に戻ると共に、支持棒部１６が上方に移動し、ピストン部１３が上昇する。
ピストン部１３が上昇すると、シリンダ部１２内の空間が負圧となるので、負圧を解消するためにＦバルブ７ａが流路を開き、容器内の液体が吸上げられ、シリンダ部１２内に液体が充填されることになる。
【００６０】
トリガー式スプレイヤー１００においては、このような操作が繰り返されることにより、一定量の液体が、ノズル部５から繰り返して噴射されることになる。このように、上記トリガー式スプレイヤー１００は、簡単な構造でありながら、確実に一定量の液体を噴射することが可能となっている。
【００６１】
以上、本発明の好適な実施形態について説明したが、本発明は上記実施形態に限定されるものではない。
【００６２】
例えば、本実施形態に係るトリガー式スプレイヤー１００においては、本体部１０の後端部１０ａの下方に、板状の指当て部１ａが設けられており、トリガー部２０に、リング状の指入れ部１ｂが設けられているが、指当て部１ａ及び指入れ部１ｂの形状はこれらに限定されない。
【００６３】
図９の（ａ）〜図９の（ｃ）は、他の実施形態に係るトリガー式スプレイヤーにおける指当て部を示す側面図である。
図９の（ａ）に示すように、指当て部は、指当て作用部Ｓが半円状であってもよく、図９の（ｂ）に示すように、突起により形成されたカーブであってもよく、図９の（ｃ）に示すように、リング状であってもよい。
【００６４】
図１０の（ａ）〜図１０の（ｃ）は、他の実施形態に係るトリガー式スプレイヤーにおける指入れ部を示す側面図である。
図１０の（ａ）に示すように、指入れ部は、指入れ作用部ＴがＣ字状であってもよく、図１０の（ｂ）に示すように、緩やかな凸状のカーブであってもよく、図１０の（ｃ）に示すように、緩やかな凹状のカーブであってもよい。
【００６５】
本実施形態に係るトリガー式スプレイヤー１００においては、第１部材５０を備えているが、本体部１０と、トリガー部２０と、シリンダ部１２とがそれぞれ別体であってもよい。
また、同様に、第２部材６０を備えているが、ピストン部１３、スピンナー部１４及び支持棒部１６がそれぞれ別体であってもよい。
さらに、Ｓバルブ７ｂを備えているが、弁１７ａ、バルブ用バネ部１７ｂ及び基部１７ｃはそれぞれ別体であってもよい。
【００６６】
本実施形態に係るトリガー式スプレイヤー１００においては、Ｆバルブ７ａと、Ｓバルブ７ｂとが別体となっているが、一体となっていてもよい。
【００６７】
本実施形態に係るトリガー式スプレイヤー１００において、トリガー部２０には、ストッパー２１が取り付けられているが、ストッパー２１は必ずしも有する必要はない。
【００６８】
本実施形態に係るトリガー式スプレイヤー１００において、バネ部６は、板状となっているが、コイル状、蛇状、バネ座金状等であってもよく、バルブ用バネ部１７ｂは、蛇状となっているが、コイル状、板状、バネ座金状等であってもよい。
【産業上の利用可能性】
【００６９】
本発明のトリガー式スプレイヤーは、トリガーを引くことにより、容器内の液を噴射する装置として好適に用いられる。本発明のトリガー式スプレイヤーによれば、把持しやすく、且つ、操作時にトリガー部を引きやすい。
【符号の説明】
【００７０】
１ａ・・・指当て部
１ｂ・・・指入れ部
２・・・キャップ部
４ａ・・・蓋部
５・・・ノズル部
６・・・バネ部
７ａ・・・Ｆバルブ
７ｂ・・・Ｓバルブ
９・・・導入部
１０・・・本体部
１０ａ・・・後端部
１０ｂ・・・外壁部
１１・・・シリンダーポンプ
１２・・・シリンダ部
１２ａ・・・下端部
１３・・・ピストン部
１３ａ・・・液体流通部
１４・・・スピンナー部
１５・・・ノズル口部
１６・・・支持棒部
１６ａ・・・枢着部
１７ａ・・・弁
１７ｂ・・・バルブ用バネ部
１７ｃ・・・基部
２０・・・トリガー部
２１・・・ストッパー
２１ａ・・・嵌合穴部
５０・・・第１部材
６０・・・第２部材
１００・・・トリガー式スプレイヤー
Ａ，Ｓ・・・指当て作用部
Ｂ，Ｔ・・・指入れ作用部
Ｈ・・・高さ
Ｘ・・・容器
【図１】
2013078704.tif 000003
【図２ａ】
2013078704.tif 000004
【図２ｂ】
2013078704.tif 000005
【図３】
2013078704.tif 000006
【図４】
2013078704.tif 000007
【図５】
2013078704.tif 000008
【図６】
2013078704.tif 000009
【図７】
2013078704.tif 000010
【図８】
2013078704.tif 000011
【図９】
2013078704.tif 000012
【図１０】
2013078704.tif 000013